(57)【要約】  イタズラメールによる被害を防ぎ、機種毎に異なる個別登録内容にも対応可能な、携帯電話装置の電話帳登録方法を提供する。他の携帯電話装置から受信した電子メールが電話帳登録メールかどうか判定する。電話帳登録メールである場合、該電子メールの送信元アドレスが、電話帳登録を許可しているアドレスかどうか判定する。電話帳登録を許可しているアドレスである場合、該電子メールの内容が、電話帳登録フォーマットに沿った内容であれば、該電子メールの電話帳登録内容を当該携帯電話装置の電話帳に登録する。
2009022602.tif 000002
【特許請求の範囲】
【請求項１】
他の携帯電話装置から受信した電子メールが電話帳登録メールかどうか判定するステップと、
前記電子メールが電話帳登録メールである場合、前記電子メールの送信元アドレスが、電話帳登録を許可しているアドレスかどうか判定するステップと、
前記電子メールの送信元アドレスが、電話帳登録を許可しているアドレスである場合、該電子メールの内容が、電話帳登録フォーマットに沿った内容であるかどうか判定するステップと、
前記電子メールの内容が、電話帳登録フォーマットに沿った内容であれば、前記電子メールの電話帳登録内容を当該携帯電話装置の電話帳に登録するステップと
を有する、携帯電話装置の電話帳登録方法。
【請求項２】
前記登録するステップが、
電話帳に登録する人の氏名と読み仮名が既存の電話帳登録データに存在するかどうか判定するステップと、
電話帳に登録する人の氏名と読み仮名が既存の電話帳登録データに存在する場合、前記電子メールの電話帳登録内容を当該携帯電話装置の電話帳に上書きするステップと、
電話帳に登録する人の氏名と読み仮名が既存の電話帳登録データに存在しない場合、前記電子メールの電話帳登録内容を当該携帯電話装置の電話帳に新規に登録するステップと
を含む、請求項１に記載の携帯電話装置の電話帳登録方法。
【請求項３】
前記登録するステップが、
電話帳に登録する人の氏名と読み仮名が既存の電話帳登録データに存在するかどうか判定するステップと、
電話帳に登録する人の氏名と読み仮名が既存の電話帳登録データに存在する場合、前記携帯電話装置のユーザに問い合わせるメッセージを当該携帯電話装置の画面に表示するステップと、
当該携帯電話装置のユーザが、前記電子メールの電話帳登録内容を当該携帯電話装置の電話帳に上書きする選択をした場合、前記電子メールの電話帳登録内容を当該携帯電話装置の電話帳に上書きするステップと、
電話帳に登録する人の氏名と読み仮名が既存の電話帳登録データに存在しない場合、前記電子メールの電話帳登録内容を当該携帯電話装置の電話帳に新規に登録するかどうかを、当該携帯電話装置のユーザに問い合わせるメッセージを当該携帯電話装置の画面に表示するステップと
当該携帯電話装置のユーザが、前記電子メールの電話帳登録内容を当該携帯電話装置の電話帳に新規に登録する選択をした場合、前記電子メールの電話帳登録内容を当該携帯電話装置の電話帳に上書きするステップと
を含む、請求項１に記載の携帯電話装置の電話帳登録方法。
【請求項４】
携帯電話装置であって、
該携帯電話装置の電話帳が格納されているメモリと、
他の装置から受信した電子メールが電話帳登録メールかどうか判定し、前記電子メールが電話帳登録メールである場合、前記電子メールの送信元アドレスが、電話帳登録を許可しているアドレスかどうか判定し、前記電子メールの送信元アドレスが、電話帳登録を許可しているアドレスである場合、該電子メールの内容が、電話帳登録フォーマットに沿った内容であるかどうか判定し、前記電子メールの内容が、電話帳登録フォーマットに沿った内容であれば、前記電子メールの電話帳登録内容を前記メモリの電話帳に登録する制御手段と、
を有する携帯電話装置。
【請求項５】
前記電子メールの電話帳登録内容を前記メモリの電話帳に登録することが、
電話帳に登録する人の氏名と読み仮名が既存の電話帳登録データに存在するかどうか判定することと、
電話帳に登録する人の氏名と読み仮名が既存の電話帳登録データに存在する場合、前記電子メールの電話帳登録内容を当該携帯電話装置の電話帳に上書きすることと、
電話帳に登録する人の氏名と読み仮名が既存の電話帳登録データに存在しない場合、前記電子メールの電話帳登録内容を当該携帯電話装置の電話帳に新規に登録することと
を含む、請求項４に記載の携帯電話装置。
【請求項６】
前記電子メールの電話帳登録内容を前記メモリの電話帳に登録することが、
電話帳に登録する人の氏名と読み仮名が既存の電話帳登録データに存在するかどうか判定することと、
電話帳に登録する人の氏名と読み仮名が既存の電話帳登録データに存在する場合、前記携帯電話装置のユーザに問い合わせるメッセージを当該携帯電話装置の画面に表示することと、
当該携帯電話装置のユーザが、前記電子メールの電話帳登録内容を当該携帯電話装置の電話帳に上書きする選択をした場合、前記電子メールの電話帳登録内容を当該携帯電話装置の電話帳に上書きすることと、
電話帳に登録する人の氏名と読み仮名が既存の電話帳登録データに存在しない場合、前記電子メールの電話帳登録内容を当該携帯電話装置の電話帳に新規に登録するかどうかを、当該携帯電話装置のユーザに問い合わせるメッセージを当該携帯電話装置の画面に表示することと
当該携帯電話装置のユーザが、前記電子メールの電話帳登録内容を当該携帯電話装置の電話帳に新規に登録する選択をした場合、前記電子メールの電話帳登録内容を当該携帯電話装置の電話帳に上書きすることと
を含む、請求項４に記載の携帯電話装置。
【請求項７】
他の携帯電話装置から受信した電子メールが電話帳登録メールかどうか判定する手順と、
前記電子メールが電話帳登録メールである場合、前記電子メールの送信元アドレスが、電話帳登録を許可しているアドレスかどうか判定する手順と、
前記電子メールの送信元アドレスが、電話帳登録を許可しているアドレスである場合、該電子メールの内容が、電話帳登録フォーマットに沿った内容であるかどうか判定する手順と、
前記電子メールの内容が、電話帳登録フォーマットに沿った内容であれば、前記電子メールの電話帳登録内容を当該携帯電話装置の電話帳に登録する手順と
をコンピュータに実行させるための、携帯電話装置の電話帳登録プログラムを記録した記録媒体。
【請求項８】
前記登録する手順が、
電話帳に登録する人の氏名と読み仮名が既存の電話帳登録データに存在するかどうか判定する手順と、
電話帳に登録する人の氏名と読み仮名が既存の電話帳登録データに存在する場合、前記電子メールの電話帳登録内容を当該携帯電話装置の電話帳に上書きする手順と、
電話帳に登録する人の氏名と読み仮名が既存の電話帳登録データに存在しない場合、前記電子メールの電話帳登録内容を当該携帯電話装置の電話帳に新規に登録する手順と
を含む、請求項７に記載の記録媒体。
【請求項９】
前記登録する手順が、
電話帳に登録する人の氏名と読み仮名が既存の電話帳登録データに存在するかどうか判定する手順と、
電話帳に登録する人の氏名と読み仮名が既存の電話帳登録データに存在する場合、前記携帯電話装置のユーザに問い合わせるメッセージを当該携帯電話装置の画面に表示する手順と、
当該携帯電話装置のユーザが、前記電子メールの電話帳登録内容を当該携帯電話装置の電話帳に上書きする選択をした場合、前記電子メールの電話帳登録内容を当該携帯電話装置の電話帳に上書きする手順と、
電話帳に登録する人の氏名と読み仮名が既存の電話帳登録データに存在しない場合、前記電子メールの電話帳登録内容を当該携帯電話装置の電話帳に新規に登録するかどうかを、当該携帯電話装置のユーザに問い合わせるメッセージを当該携帯電話装置の画面に表示する手順と
当該携帯電話装置のユーザが、前記電子メールの電話帳登録内容を当該携帯電話装置の電話帳に新規に登録する選択をした場合、前記電子メールの電話帳登録内容を当該携帯電話装置の電話帳に上書きする手順と
を含む、請求項７に記載の記録媒体。
【発明の詳細な説明】
【技術分野】
【０００１】
本発明は携帯電話装置に関し、特に、携帯電話装置の電話帳登録方法に関する。
【背景技術】
【０００２】
携帯電話装置の電話帳登録を行う場合、基本的には登録を行う携帯電話装置の入力キーを押下し、該携帯電話装置の電話帳フォーマットに沿った内容を入力して登録を行う。しかし、ユーザの中には、キー入力の方法が難しく、電話帳登録ができないユーザや、携帯電話装置の入力キーでの入力は、ＰＣのキーボード入力と比べ、入力しづらいと感じるユーザが存在する。前者のユーザが電話帳登録を実施する場合には、他人へ依頼する必要がある。ただし、その場合には、登録を行う携帯電話装置を、依頼する人に渡すことが必須条件となる。そこで、特許文献１に、電話帳登録を行う携帯電話装置に電話帳に登録する内容の電子メールを受信させ、その受信メールを元に電話帳登録を可能とする方法が開示されている。しかし、上述の公報に開示された方法では、特定の件名であった場合には、電子メールの発信者に関わらず、電話帳に登録されてしまうためイタズラメールによる被害が発生する可能性があることや、昨今の携帯電話装置の電話帳登録のような、電話番号やメールアドレス以外の機種毎の個別設定を行うことができないといった問題があった。
【特許文献１】特開２００２−１８５６０３号公報
【発明の開示】
【発明が解決しようとする課題】
【０００３】
本発明の目的は、イタズラメールによる被害を防ぎ、機種毎に異なる個別登録内容にも対応可能な、携帯電話装置の電話帳登録方法、携帯電話装置、および携帯電話装置の電話帳登録プログラムを記録した記録媒体を提供することにある。
【課題を解決するための手段】
【０００４】
本発明の、携帯電話装置の電話帳登録方法は、
他の携帯電話装置から受信した電子メールが電話帳登録メールかどうか判定するステップと、
前記電子メールが電話帳登録メールである場合、前記電子メールの送信元アドレスが、電話帳登録を許可しているアドレスかどうか判定するステップと、
前記電子メールの送信元アドレスが、電話帳登録を許可しているアドレスである場合、該電子メールの内容が、電話帳登録フォーマットに沿った内容であるかどうか判定するステップと、
前記電子メールの内容が、電話帳登録フォーマットに沿った内容であれば、前記電子メールの電話帳登録内容を当該携帯電話装置の電話帳に登録するステップと
を有する。【０００５】
また、本発明の携帯電話装置は、
該携帯電話装置の電話帳が格納されているメモリと、
他の携帯電話装置から受信した電子メールが電話帳登録メールかどうか判定し、前記電子メールが電話帳登録メールである場合、前記電子メールの送信元アドレスが、電話帳登録を許可しているアドレスかどうか判定し、前記電子メールの送信元アドレスが、電話帳登録を許可しているアドレスである場合、該電子メールの内容が、電話帳登録フォーマットに沿った内容であるかどうか判定し、前記電子メールの内容が、電話帳登録フォーマットに沿った内容であれば、前記電子メールの電話帳登録内容を当該携帯電話装置の電話帳に登録する制御手段を有する。【０００６】
また、本発明の、携帯電話装置の電話帳登録プログラムを記録した記録媒体は、
他の携帯電話装置から受信した電子メールが電話帳登録メールかどうか判定する手順と、
前記電子メールが電話帳登録メールである場合、前記電子メールの送信元アドレスが、電話帳登録を許可しているアドレスかどうか判定する手順と、
前記電子メールの送信元アドレスが、電話帳登録を許可しているアドレスである場合、該電子メールの内容が、電話帳登録フォーマットに沿った内容であるかどうか判定する手順と、
前記電子メールの内容が、電話帳登録フォーマットに沿った内容であれば、前記電子メールの電話帳登録内容を当該携帯電話装置の電話帳に登録する手順と
をコンピュータに実行させる電話帳登録プログラムを記録している。【０００７】
本発明は、電話帳登録を実施する携帯電話装置の電話帳登録フォーマットに沿って記載された電子メールを元に電話帳登録を実施する。そのため、携帯電話装置固有の登録項目にも対応した電話帳登録が、電話帳登録を実施する携帯電話装置を所有していない人物でも可能となる。また、事前に電話帳登録を可能と許可する人物のメールアドレスを登録しておくことにより、許可を与えた人物からの電子メールの登録要求のみ実施し、イタズラメールによる誤登録を防ぐことが可能となる。
【図面の簡単な説明】
【０００８】
【図１】図１は本発明の一実施形態による携帯電話装置のブロック図である。
【図２】図２は他の携帯電話装置に電話帳登録を依頼する場合の動作を示すフローチャートである。
【図３】図３は他の携帯電話装置から、内容を記載した電話帳フォーマットを受信して電話帳登録を行う動作のフローチャートである。
【図４】図４は電話帳登録処理の具体例を示すフローチャートである。
【図５】図５は電話帳登録処理の他の具体例を示すフローチャートである。
【図６】図６は電話帳フォーマットの一例を示す図である。
【図７】図７は電話帳フォーマットに登録したい内容を記載した一例を示す図である。
【符号の説明】
【０００９】
１１    アンテナ
１２    送受信部
１３    メモリ
１４    表示部
１５    操作部
１６    制御部
１０１〜１１６  ステップ
【発明を実施するための最良の形態】
【００１０】
図１を参照すると、本発明の一実施形態による携帯電話装置はアンテナ１１と送受信部１２とメモリ１３と表示部１４と操作部１５と制御部１６を有している。【００１１】
アンテナ１１は電波を送受信する部分である。送受信部１２は送信する信号を電波に、受信した電波を信号に変換する部分である。メモリ１３は電話帳や許可するメールアドレスを保存する部分である。表示部１４はユーザにわかるように各種情報を表示する部分である。操作部１５は、ユーザが希望する操作を実施する部分である。制御部１６は制御手段で、情報を表示部１５に表示したり、通話を開始したり等、携帯電話装置の各部の制御を行う部分である。【００１２】
次に、本実施形態の動作を図２、図３のフローチャートを参照して説明する。【００１３】
図２は、他の携帯電話装置に電話帳登録を依頼する場合の動作を示すフローチャートである。【００１４】
まず、ステップ１０１に、電話帳登録をさせたい携帯電話装置の電話帳フォーマットを入手する。入手方法としては、登録させたい携帯電話装置からの電子メールでの入手や、登録させたい携帯電話装置の開発メーカやキャリアのＷｅｂサイトより入手する方法が考えられる。該電話帳フォーマットの一例を図６に示す。図５に示すように、電話帳フォーマットには、その携帯電話装置の電話帳に沿った登録項目が記載されており、登録させたい人物によって着信音やライトの点灯色、バイブのパターン等を各々設定可能な携帯電話装置であれば、それら設定パターンに関してもどのような設定パターンがあるか記載される。次に、ステップ１０２に、入手した電話帳フォーマットに沿って、電話帳に登録する内容を記載する。図７に電話帳フォーマットに登録したい内容を記載した一例を示す。その後、ステップ１０３に、記載した電話帳フォーマットを電子メールとして、登録させたい携帯電話装置に送信する。【００１５】
図３は、他の携帯電話装置から、内容を記載した電話帳フォーマットを受信して電話帳登録を行う動作のフローチャートである。【００１６】
まず、ステップ１０４にて、電子メールを送受信部１２で受信する。次に、ステップ１０５にて、制御部１６が、受信した電子メールが電話帳登録メールであるか否かを件名にて判断する。受信した電子メールの件名が電話帳登録メールであることを示す、ある決められた件名ではない場合、つまりステップ１０５でＮＯの場合には、ステップ１０７にて、受信した電子メールは通常の電子メールとして制御部１６で処理される。受信した電子メールの件名が電話帳登録メールであることを示す、ある決まられた件名である場合、つまりステップ１０５でＹＥＳの場合には、ステップ１０６にて、制御部１６が、該受信した電子メールの送信元アドレスが、電話帳登録を許可しているアドレスか確認する。許可されていないアドレスの場合、つまりステップ１０６でＮＯの場合には、ステップ１０７で、受信したメールを通常のメールとして制御部１６で処理する。許可されているアドレスの場合、つまりステップ１０６でＹＥＳの場合には、ステップ１０８に、制御部１６は、受信した電子メールの内容が、電話帳登録フォーマットに沿った内容であるかを確認する。電話帳登録フォーマットに沿っていない場合（例えばその携帯電話装置の電話帳ファーマットには存在しない項目が記載されていた場合や、数字で入力されるべき項目が、文字が記載されていた場合など）、つまりステップ１０８でＮＯの場合には、電話帳登録フォーマットと異なる記載であり、ステップ１０９に、電話帳登録が正しくできないことを、送受信部１２より電子メールの送信者に通知する。電話帳登録フォーマットに沿っている場合、つまりステップ１０８でＹＥＳの場合には、制御部１６は、ステップ１１０にて、受信した電子メールの電話帳登録内容にて、メモリ１３にある携帯電話装置の電話帳に上書き登録するか、新規登録する。【００１７】
図４は図３の電話帳登録ステップの具体例を示すフローチャートである。ステップ１１１に、制御部１６は、電話帳に登録する人の氏名と読み仮名が、メモリ１３に記憶されている既存の電話帳登録データ内に存在しないか確認する。同じ氏名と読み仮名のデータが存在した場合、つまりステップ１１１でＹＥＳの場合には、ステップ１１２で、制御部１６は、受信した電子メールの電話帳登録内容にて、メモリ１３にある携帯電話装置の電話帳に上書き登録する。同じ氏名と読み仮名のデータが存在しない場合、つまりステップ１１１でＮＯの場合には、制御部１６は、ステップ１１３で、受信した電子メールの電話帳登録内容にて携帯電話装置の電話帳に新規登録する。【００１８】
本実施形態は、事前に許可したアドレスからの電子メールであった場合にのみ電話帳登録を行うことにより、イタズラメールによる被害を防ぎ、登録を行う携帯電話装置の電話帳フォーマットを電子メールまたはＷｅｂより入手し、そのフォーマットを使用することにより、機種毎に異なる個別設定にも対応可能である。【００１９】
図５は図３の電話帳登録ステップの他の具体例を示すフローチャートである。【００２０】
図4の例では、電話帳登録が行われる携帯電話装置のユーザが全く知らない内に電話帳登録が完了する仕組みとなっているが、本例では、電話帳登録を実施するか、実施しないかの最終判断をユーザに実施させることにより、より安全な電話帳登録を可能としている。【００２１】
制御部１６は、ステップ１１１にて、電話帳に登録する人の氏名と読み仮名が、既存の電話帳登録データ内に存在しないか確認し、同じ氏名と読み仮名のデータが存在した場合、つまりステップ１１１でＹＥＳの場合には、ステップ１１４で「電話帳データを上書きするか？」といったメッセージを該携帯電話装置の画面である表示部１４に表示する。ユーザがＹＥＳを選択した場合には、制御部１６は、ステップ１１２で電話帳データを電話帳に上書きする。ユーザがＮＯを選択した場合には、電話帳に上書きはせず、ステップ１１６にて、受信した電子メールを通常のメールとして処理する。【００２２】
制御部１６は、ステップ１１１にて、電話帳に登録する人の氏名と読み仮名が、既存の電話帳登録データ内に存在しないか否かを確認し、同じ氏名と読み仮名のデータが存在しない場合、つまりステップ１１１でＮＯの場合には、ステップ１１５で、「電話帳に新規登録をするか？」といったメッセージを該携帯電話装置の画面に表示し、ユーザがＹＥＳを選択した場合には、ステップ１１３で電話帳に新規登録をする。ユーザがＮＯを選択した場合には、制御部１６は、電話帳に新規登録はせず、ステップ１１６にて、受信した電子メールを通常のメールとして処理する。【００２３】
なお、携帯端末装置の、前述した制御部１６の機能は、その機能を実現するためのプログラムを、コンピュータ読み取り可能な記録媒体に記録して、この記録媒体に記録されたプログラムをコンピュータに読み込ませ、実行するものであってもよい。コンピュータ読み取り可能な記録媒体とは、フレキシブルディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間、動的にプログラムを保持するもの（伝送媒体もしくは伝送波）、その場合のサーバとなるコンピュータ内の揮発性メモリのように、一定時間プログラムを保持しているものを含む。【００２４】
この出願は、２００７年８月１４日に出願された日本出願特願２００７−２１１２８０を基礎とする優先権を主張し、その開示の全てをここに取り込む。【００２５】
以上本発明の好ましい実施形態を特定の用語を用いて説明したが、そのような記載は例示のみを目的としており、種々の変形および修正が添付の特許請求の範囲から外れることなく可能であることが理解されるべきである。
【図１】
2009022602.tif 000003
【図２】
2009022602.tif 000004
【図３】
2009022602.tif 000005
【図４】
2009022602.tif 000006
【図５】
2009022602.tif 000007
【図６】
2009022602.tif 000008
【図７】
2009022602.tif 000009
【国際調査報告】
2009022602.tif 000010
2009022602.tif 000011
2009022602.tif 000012
2009022602.tif 000013